(57)【要約】【課題】略円形の側面を有する物品でも検査が可能な検査機を提供すること。【解決手段】物品を搬送する検査装置用搬送手段と、物品の第２の側面の識別情報を取得する、搬送手段の搬送面に対向して配置される識別情報取得手段と、搬送手段を挟んで、撮像手段と反対側に配置される物品の第１の側面を撮像する撮像手段と、撮像手段による撮像画像と、識別情報取得手段による識別情報とを比較して、両者の情報が一致することを判断する判断手段と、を備え、搬送手段の搬送部材は、透明度の高い材質からなる。【選択図】図１
2020046378.tif 000002
【特許請求の範囲】
【請求項１】
略円形の第１の側面と、第２の側面とを有する物品の検査装置であって、
物品を搬送する検査装置用搬送手段と、
物品の前記第２の側面の識別情報を取得する、前記搬送手段の搬送面に対向して配置される識別情報取得手段と、
前記搬送手段を挟んで、前記識別情報取得手段と反対側に配置される物品の前記第１の側面を撮像する撮像手段と、
前記撮像手段による撮像画像と、前記識別情報取得手段による前記識別情報とを比較して、両者の情報が一致することを判断する判断手段と、
を備え、
前記搬送手段の搬送部材は、透明度の高い材質からなる、物品の検査装置。
【請求項２】
物品を搬送する第１の搬送手段と、
物品の前記第１の側面と、前記第２の側面とを反転する、反転手段とを備える、物品の反転装置を、さらに備える、請求項１に記載の物品の検査装置。
【請求項３】
前記反転装置は、前記検査装置用搬送手段の搬送方向に対して、前記検査装置の上流と下流の位置にそれぞれ配置される、請求項２に記載の物品の検査装置。
【請求項４】
前記反転手段は、物品を把持することが可能な複数の把持手段と、前記第１の搬送手段の搬送面に対して略垂直方向に延在する第２の搬送手段とを備え、複数の前記把持手段は、前記第２の搬送手段上に間隔を空けて配置される、請求項２又は３に記載の物品の検査装置。
【請求項５】
前記把持手段は、それぞれ前記第２の搬送手段の上流側に１つ以上の第１の突起部を、前記第２の搬送手段の下流側に１つ以上の第２の突起部をそれぞれ備え、上流側と下流側の前記第１と第２の突起部間に、物品を挟むように把持する、請求項４に記載の物品の検査装置。
【請求項６】
前記第１の搬送手段は、略同一平面状にあり、搬送方向に対して垂直方向に分離された複数の搬送部を備え、前記複数の搬送部の間に前記把持手段が配置されるようにされる、請求項４又は５に記載の物品の検査装置。
【請求項７】
前記第１の搬送手段の搬送面に対して、前記第２の搬送手段の垂直方向の位置を調整する、高さ位置調整手段をさらに備える、請求項４〜６のいずれか一項に記載の物品の検査装置。
【請求項８】
略円形の第１の側面と、第２の側面とを有する物品の反転手段であって、
物品を搬送する第１の搬送手段と、
物品を反転する、反転手段とを備える、物品反転装置。
【請求項９】
前記反転手段は、物品を把持することが可能な複数の把持手段と、前記搬送手段の搬送面に対して略垂直方向に延在する第２の搬送手段とを備え、複数の前記把持手段は、前記第２の搬送手段上に間隔を空けて配置される、請求項８に記載の物品反転装置。
【請求項１０】
前記把持手段は、前記第２の搬送手段の上流側に１つ以上の第１の突起部を、前記第２の搬送手段の下流側に１つ以上の第２の突起部をそれぞれ備え、上流側と下流側の前記第１と第２の突起部間に、物品を挟むように把持する、請求項９に記載の物品反転装置。
【請求項１１】
前記第１の搬送手段は、略同一平面状にあり、搬送方向に対して垂直方向に分離された複数の搬送部を備え、複数の前記搬送部の間に前記把持手段が配置されるようにされる、請求項９又は１０に記載の物品反転装置。
【請求項１２】
前記第１の搬送手段の搬送面に対して、前記第２の搬送手段の垂直方向の位置を調整する、高さ位置調整手段をさらに備える、請求項９〜１１のいずれか一項に記載の物品反転装置。
【発明の詳細な説明】
【技術分野】
【０００１】
本発明は、物品の検査装置及び物品反転装置に関する。
【背景技術】
【０００２】
以前より、おにぎりのような物品の検査装置は存在していた。例えば、引用文献１には三角おにぎりの検査装置が開示されている。ベルトコンベア上を搬送される三角形状のおにぎりのパッケージの側面に貼られた２種類のラベルの画像情報と識別情報を、搬送装置の搬送方向に対して両側に配置された撮像手段と取得手段により読み取り、予め登録してある正情報と比較して、画像情報と識別情報とが、登録してある正情報と同じである場合に、適正品と判断し、それ以外の場合に不適正品と判断していた。
【先行技術文献】
【特許文献】
【０００３】
【特許文献１】特開２０１８−６６６６０
【発明の概要】
【発明が解決しようとする課題】
【０００４】
しかし、特許文献１の検査装置は、三角おにぎりの検査は可能であるが、丸おにぎりの検査をしようしても、側面が略円形であるため、搬送装置上に検査が可能なように丸おにぎりを適切に配置することは困難であった。
【０００５】
したがって、本発明の目的は、略円形の側面を有する物品でも検査が可能な検査機を提供することにある。本発明の別の目的は、略円形の側面を有する物品を反転する物品反転装置を提供することにある。
【課題を解決するための手段】
【０００６】
本発明の一の観点によれば、略円形の第１の側面と、第２の側面とを有する物品の検査装置であって、物品を搬送する検査装置用搬送手段と、物品の上記第２の側面の識別情報を取得する、上記搬送手段の搬送面に対向して配置される識別情報取得手段と、上記搬送手段を挟んで、上記識別情報取得手段と反対側に配置される物品の上記第１の側面を撮像する撮像手段と、上記撮像手段による撮像画像と、上記識別情報取得手段による上記識別情報とを比較して、両者の情報が一致することを判断する判断手段と、を備え、上記搬送手段の搬送部材は、透明度の高い材質からなる。これにより、略円形の側面を有する物品であっても、安定して搬送することが出来ると共に、物品の検査を行うことが可能になる。
【０００７】
この物品の検査装置では、物品を搬送する第１の搬送手段と、物品の上記第１の側面と、上記第２の側面とを反転する、反転手段とを備える、物品反転装置を、さらに備える。これにより、第１の側面の情報を透明度の高い材質から出来た搬送部材を介して撮像手段により抽出すると共に、第２の側面の識別情報を透明度の高い材質の高い材質から出来た搬送部材を介さずに識別情報取得手段により直接取得することができる。
【０００８】
この物品の検査装置では、上記反転装置は、上記検査装置用搬送手段の搬送方向に対して、上記検査装置の上流と下流の位置にそれぞれ配置される。これにより、物品の第２の側面を搬送面に対向させて搬送する必要がある場合であっても、検査時には、反転装置により、第１の側面を搬送面に対向させて搬送することにより識別情報を取得可能であり、検査後には、反転装置により第２の側面を搬送面に対向させて搬送することができる。
【０００９】
この物品の検査装置では、上記反転手段は、物品を把持することが可能な複数の把持手段と、上記第１の搬送手段の搬送面に対して略垂直方向に延在する第２の搬送手段とを備え、複数の上記把持手段は、上記第２の搬送手段上に間隔を空けて配置される。これにより、搬送手段により搬送される物品を連続して反転させることが可能となる。
【００１０】
この物品の検査装置では、上記把持手段は、それぞれ上記第２の搬送手段の上流側に１つ以上の第１の突起部を、上記第２の搬送手段の下流側に１つ以上の第２の突起部をそれぞれ備え、上流側と下流側の上記第１と第２の突起部間に、物品を挟むように把持する。これにより、物品を確実に掴んで回転し、第１の側面と第２の側面とを反転することができる。
【００１１】
この物品の検査装置では、上記第１の搬送手段は、略同一平面上にあり、搬送方向に対して垂直方向に分離された複数の搬送部を備え、上記複数の搬送部の間に上記把持手段が配置されるようにされる。これにより、把持手段が第１の搬送手段から直接的に物品を受け取ることができる。
【００１２】
この物品の検査装置では、上記第１の搬送手段の搬送面に対して、上記第２の搬送手段の垂直方向の位置を調整する、高さ位置調整手段をさらに備える。これにより、物品の大きさに応じて把持手段の高さ位置を調整することができる。
【００１３】
本発明の別の観点によれば、略円形の第１の側面と、第２の側面とを有する物品の反転装置であって、物品を搬送する第１の搬送手段と、物品を反転する、反転手段とを備える。これにより、略円形の物品の第１の側面と第２の側面とを反転することが出来る。
【００１４】
この反転装置では、上記反転手段は、物品を把持することが可能な複数の把持手段と、上記搬送手段の搬送面に対して略垂直方向に延在する第２の搬送手段とを備え、複数の上記把持手段は、上記第２の搬送手段上に間隔を空けて配置される。これにより、搬送手段により搬送される物品を連続して反転させることが可能となる。
【００１５】
この反転装置では、上記把持手段は、上記第２の搬送手段の上流側に１つ以上の第１の突起部を、上記第２の搬送手段の下流側に１つ以上の第２の突起部をそれぞれ備え、上流側と下流側の上記第１と第２の突起部間に、物品を挟むように把持する。これにより、物品を確実に掴んで回転し、第１の側面と第２の側面とを反転することができる。
【００１６】
この反転装置では、上記第１の搬送手段は、略同一平面上にあり、搬送方向に対して垂直方向に分離された複数の搬送部を備え、複数の上記搬送部の間に上記把持手段が配置されるようにされる。これにより、把持手段が第２の搬送手段から直接的に物品を受け取ることができる。
【００１７】
この反転装置では、上記第１の搬送手段の搬送面に対して、上記第２の搬送手段の垂直方向の位置を調整する、高さ位置調整手段をさらに備える。これにより、物品の大きさに応じて把持手段の高さ位置を調整することができる。
【発明の効果】
【００１８】
本発明によれば、略円形の側面を有する物品であっても、安定して搬送することが出来ると共に、物品の検査を行うことが可能になる。さらに、略円形の側面を有する物品を容易に反転することができる。
【図面の簡単な説明】
【００１９】
【図１】図１は、本発明の実施形態に係る物品の検査装置の正面図である。
【図２】図２は、本発明の実施形態に係る物品の検査装置の平面図である。
【図３】図３は、本発明の実施形態に係る物品の検査装置の側面図である。
【図４】図４は、本発明の実施形態に係る物品の検査装置の斜視図である。
【図５】図５は、図１の撮像手段と識別情報取得手段の拡大図である。
【図６】図６は、本発明の別の実施形態に係る物品反転装置の正面図である。
【図７】図７は、本発明の別の実施形態に係る物品反転装置の平面図である。
【図８】図８は、本発明の別の実施形態に係る物品反転装置の側面図である。
【図９】図９は、本発明の別の実施形態に係る物品反転装置の斜視図である。
【図１０】図１０は、本発明のさらに別の実施形態に係る、物品の検査装置と２台の物品反転装置を組み合わせた際の正面図である。
【図１１】図１１は、本発明の別の実施形態に係る物品反転装置の、物品を反転する際の模式図である。
【図１２】図１２は、本発明の実施形態に係る、物品の検査装置の機能ブロック図である。
【図１３】図１３は、本発明の別の実施形態に係る、物品反転装置の機能ブロック図である。
【図１４】図１４は、本発明のさらに別の実施形態に係る物品の検査装置と２台の物品反転装置を組み合わせた検査方法を示すフローチャートである。
【発明を実施するための形態】
【００２０】
まず、本発明の実施形態に係る、略円形の第１の側面１１と、第２の側面１２とを有する物品１０の検査装置１００について説明する。本発明の実施形態は図示の内容を含むが、これのみに限定されるものではない。また、以下においては、共通する部分には同一の参照符号を付して重複した説明を省略する。図１〜図５、図１２を参照して、略円形の第１の側面１１と、第２の側面１２とを有する物品１０の検査装置１００がある。物品１０は例えば丸おにぎりである。検査装置１００は、物品１０を搬送する検査装置用搬送手段２０と、物品１０の第２の側面１２の識別情報を取得する、検査装置用搬送手段２０の搬送面２１に対向して配置される識別情報取得手段４０と、検査装置用搬送手段２０を挟んで、識別情報取得手段４０と反対側に配置される物品１０の第１の側面１１を撮像する撮像手段３０とを備える。検査装置用搬送手段２０は例えばベルトコンベアである。撮像手段３０は例えばデジタルカメラであり、識別情報取得手段４０は例えば、デジタルカメラであり、バーコードリーダ、２次元コードリーダとすることもできる。第１の側面１１にはラベルＡが、第２の側面１２にはラベルＢがそれぞれ添付されており、ラベルＡには、物品の情報が記載され、ラベルＢには、バーコード、ＱＲコード（登録商標）などがある。物品１０が丸おにぎりの場合には、市販されているようなフィルム等で包まれている丸おにぎりが物品１０となる。この場合、ラベルＡ、ラベルＢの情報が包装フィルムに記載等されていて、ラベルＡ、ラベルＢを省略することも可能である。検査装置１００は、撮像手段３０による撮像画像と、識別情報取得手段４０による識別情報とを比較して、両者の情報が一致することを判断する判断手段６０と、を備える。判断手段６０は、例えばコンピュータであり、撮像画像を画像処理することにより、ラベルＡに記載されている情報（例えば商品名と価格）を抽出し、その情報と、ラベルＢのバーコード、ＱＲコード（登録商標）（２次元コード）などからの識別情報取得手段４０により取得された識別情報とを比較して、同じであれば、合格、異なれば不合格とする。ラベルＡやラベルＢが剥がれて情報が読み取れない場合にも、情報が一致しないため不合格となる。さらに、検査装置用搬送手段２０の搬送面２１は、透明度の高い材質からなる。透明度の高い材料とは、プラスチック、アクリルなどである。また、タッチパネル５０により、検査装置１００の制御が可能である。商品名、価格などが表示されたラベルＡが貼られた第１の側面を透明度の高い搬送面２１側に配置するため、検査機用搬送手段２０上の安定した物品の搬送が可能であると共に、撮像手段３０により、容易にラベルＡに記載された情報を取得可能となる。ここで、ラベルＡが貼られた第１の側面を透明度の高い搬送面２１側に配置する理由は、仮に、ラベルＢが貼られた第２の側面を透明度の高い搬送面２１側に配置して、識別情報取得手段４０のデジタルカメラで撮像する場合には、フラッシュが必要となる場合があるが、そのフラッシュが透明度の高い搬送面２１で反射してしまい、バーコード、ＱＲコード（登録商標）（２次元コード）を識別情報取得手段４０で撮像した画像を画像処理しても、識別情報を取得することができない虞があるからである。
【００２１】
図６〜９、図１３を参照して、この物品の検査装置１００では、物品１０を搬送する第１の搬送手段２１０と、物品１０の第１の側面１１と、第２の側面１２とを反転する、反転手段２２０とを備える、物品の反転装置２００を、さらに備えてもよい。第１の搬送手段２１０は、例えばベルトコンベアである。第１の搬送手段２１０の搬送方向は、検査装置用搬送手段２０の搬送方向と同じである。物品１０が丸おにぎりの場合には、通常、バーコード、ＱＲコード（登録商標）（２次元コード）のあるラベルＢが第１の搬送手段２１０の搬送面２１１に対向して搬送されるが、検査装置１００の搬送面２１が透明度の高い材料から成っていても、上述したように、それを介して、識別情報取得手段４０のデジタルカメラによりバーコード、ＱＲコード（登録商標）（２次元コード）を撮像して、画像処理により識別情報を抽出するのは困難である。そのため、反転手段２２０により、物品１０を反転させて、第１の側面１１を搬送面２１１に対向させることにより（図１１を参照のこと）、第２の側面のラベルＢのバーコード、ＱＲコード（登録商標）（２次元コード）などの識別情報を検査装置１００の透明度の高い材料から成る搬送面２１を介さずに、識別情報取得手段４０により直接取得することができる。また、操作部２３０には、タッチパネル２３１、緊急停止ボタン２３２、ＯＮ／ＯＦＦつまみ２３３がある。制御部２４０は例えばコンピュータである。
【００２２】
図１０を参照して、この物品の検査装置１００では、反転装置２００は、検査装置用搬送手段２０の搬送方向に対して、検査装置１００の上流と下流の位置にそれぞれ配置されてもよい。物品１０が丸おにぎりであるときのように第２の側面１２を搬送面２１に対向させて搬送する必要がある場合であっても、検査時には、反転装置２００により、第１の側面１１を搬送面２１に対向させて搬送することにより識別情報を取得可能であり、検査後には、反転装置１００により第２の側面１２を搬送面２１に対向させて搬送することができる。検査の前後で物品１０を反転させることにより、物品１０の搬送と検査をスムーズに行うことが可能となる。
【００２３】
図６〜９、図１３に戻って、この物品の検査装置１００では、反転装置２００の反転手段２２０は、物品１０を把持することが可能な複数の把持手段２２１と、第１の搬送手段２１０の搬送面２１１に対して略垂直方向に延在する第２の搬送手段２２２とを備え、複数の把持手段２２１は、第２の搬送手段２２２上に間隔を空けて配置されてもよい。第２の搬送手段２２２は例えばベルトコンベアである。把持手段２２１が搬送手段２２２に配置される間隔は、物品１０が搬送される間隔と同じに設定されている。そして、第１の搬送手段２１０の搬送速度と第２の搬送手段の２２２の搬送速度を同じにすることにより、搬送される物品１０を連続して反転させることが可能となる。
【００２４】
この物品の検査装置１００では、反転装置２００の把持手段２２１は、それぞれ第２の搬送手段２２２の上流側に１つ以上の第１の突起部２２１０を、第２の搬送手段の下流側に１つ以上の第２の突起部２２１１をそれぞれ備えてもよい。上流側と下流側の突起部間に、物品１０を挟むように把持する。これにより、物品１０を確実に掴んで回転することができ、第１の側面１１と第２の側面１２とを反転することができる。第１の突起部２２１０は第２の突起部２２１１よりも短くてもよい。このようにすると、第１の搬送手段２１０から物品が把持手段２２１に渡される際に、第１の突起部２２１０がまず、第１の搬送装置２１０の搬送面２１１を横切ることになるので、第１の突起部２２１０が物品１０にぶつからずに、第２の突起部２２１１に載せることが可能となる（図１１参照のこと）。
【００２５】
この物品の検査装置１００では、反転装置２００の第１の搬送手段２１０は、略同一平面上にあり、搬送方向に対して垂直方向に分離された複数の搬送部２１２を備え、複数の搬送部２１２の間に把持手段２２１が配置されるようにされる。これにより、把持手段２２１が第１の搬送手段２１０から直接的に物品を受け取ることができる。把持手段２２１は、搬送方向に対して第１の搬送手段２１０の中央部分に配置されてもよい。このようにすることで、コンパクトな反転装置２００を提供することができる。
【００２６】
この物品の検査装置１００では、反転装置２００の第１の搬送手段２１０の搬送面２１１に対して、第２の搬送手段２２２の垂直方向の位置を調整する、高さ位置調整手段２５０をさらに備えてもよい。これにより、物品１０の大きさに応じて把持手段２１１の高さ位置を調整することができる。高さ位置調整手段２５０は油圧式、空圧式などであってもよい。
【００２７】
本発明のさらに別の実施形態である、検査装置１００と２台の反転装置２００を組み合わせた構成（図１０を参照のこと）について、動作方法の一例を以下に説明する。
【００２８】
図１４を参照して、まず、ステップＳ１で、検査装置１００を作動させる。ステップＳ１−１では、検査する物品のマスター画像を登録する。登録時には、検査装置１００の検査装置用搬送手段２０に物品１０を第１の側面１１を搬送面２１に対向して配置して、撮像装置３０により第１の側面１１の物品名と価格などの情報を抽出し、識別情報取得手段４０により、第２の側面１２の識別情報を取得して、それらの情報を登録することにより、物品を特定することが可能である。必要であればＳ1−１を繰り返して、複数の種類の物品１０を登録する。マスター画像は検査機１００の判断手段６０の記憶装置に保存される。このステップは物品の登録を行わない場合には、スキップされる。ステップＳ-２では、検査する物品を選択する。検査する物品のバーコード、ＱＲコード（登録商標）（２次元コード）などをハンドスキャナなどで読み取るか、検査する物品をタッチパネル５０より選択する。この際に検査個数を入力する。ステップＳ２では、２台の反転装置２００を作動させる。ステップＳ３では、検査装置１００の上流にある反転装置２００の第１の搬送手段２１０により物品１０が搬送される。ステップＳ４では、図示しないセンサーで物品１０を認識すると、検査装置１００の上流にある反転装置１００の第２の搬送手段２２２が作動して、把持手段２２１の第１の突出部２２１０と第２の突出部２２１１により物品１０を把持して物品を反転させる。ステップＳ５では、検査装置１００の検査装置用搬送手段２０に物品１０が搬送され、図示しないセンサーにより物品１０を認識すると、撮像手段３０により、物品１０の第１の側面１１の物品名、価格などを撮像して、画像処理により情報を抽出する。ステップＳ６では、識別情報取得手段４０により物品の１０の第２の側面１２のバーコード、ＱＲコード（登録商標）（２次元コード）を撮像して、画像処理により識別情報を取得する。そして、ステップＳ７では、検査装置１００の下流にある反転装置２００の第１の搬送手段２１０に物品１０が搬送される。図示しないセンサーで物品１０を認識すると、検査装置１００の下流にある反転装置２００の第２の搬送手段２２２が作動して、把持手段２２１の第１の突出部２２１０と第２の突出部２２１１により物品１０を把持して物品を反転させる。ステップＳ８では、撮像手段３０を介して抽出された情報と識別情報取得手段４０を介して取得した識別情報とを比較して、これらの情報が一致するかを判断する。マスター画像の情報と一致するかを判断してもよい。一致する場合にはステップＳ９に進み、物品１０は出荷工程に進むことになる。一致しない場合には、ステップＳ１０に進み、物品１０は、出荷工程に進まずに図示しない排出装置のエアブローにより反転装置２００の第１の搬送手段２１０の搬送面２１１から排出される。なお、ステップＳ７とＳ８は、順序を逆にして、ステップＳ８を先に行ってもよい。この場合には、情報が一致しない物品１０を、ステップＳ１０で検査装置１００の検査装置用搬送手段２０の搬出面２１からエアブローにより排出し、情報が一致する物品１０をステップＳ７で反転装置２００により反転することになる。ステップＳ１０で情報が一致しない場合には、���テップＳ１１にて、ＮＧとなった物品の数として積算され、その積算情報が、検査装置１００の判断手段６０の記憶装置に保存される。ステップＳ１２では、物品１０を検査した数が積算され、これも検査装置１００の判断手段６０の記憶装置に保存される。ステップＳ１３では、検査の積算数から、検査する物品１０が残っているかを判断し、残っている場合には、上述したステップＳ３〜Ｓ１３を繰り返し、残っていない場合には、物品１０の検査を終了する。なお、ステップＳ１−２で検査個数を入力せずに、検査個数にかかわらず、検査を続けるようにすることもできる。
【００２９】
この検査装置１００と２台の反転装置２００を組み合わせた装置は、物品１０を出荷するラインの工程の中に配置されていてもよく、そのラインの制御装置により、作動が集中管理されることも可能である。制御装置はコンピュータやタブレット端末やスマートフォンに例示される情報端末である。制御装置は図示されないＣＰＵと記憶装置とリムーバブルメディアドライブと通信装置と入力装置と出力装置とインターフェイスとを備えている。ＣＰＵは、制御装置にインストールされたコンピュータプログラムを実行し、これら記憶装置等を制御する。記憶装置は、コンピュータプログラムを記憶し、ＣＰＵが利用する情報及び生成した情報を記憶する。リムーバブルメディアドライブは、コンピュータプログラムが記憶された記憶媒体から、コンピュータプログラムを制御装置にインストールするときに用いられる。通信装置は、通信回線網を介して他のコンピュータからコンピュータプログラムを制御装置にダウンロード／インストールするときに用いられる。入力装置は、ユーザー操作により生成される情報をＣＰＵに出力する。出力装置は、ＣＰＵにより生成された情報をユーザー認識可能に出力する。インターフェイスは、制御装置に接続される外部機器により生成される情報をＣＰＵに出力し、ＣＰＵにより生成された情報を外部機器に出力する。外部機器は、検査装置１００と反転装置２００を含んでいる。記憶装置としては、ＲＯＭやＲＡＭやＨＤＤや不揮発性メモリが例示される。リムーバブルメディアドライブとしては、ＣＤ−ＲＯＭドライブ、ＤＶＤドライブが例示される。入力装置としては、キーボード、マウスが例示される。出力装置としては、ディスプレイやプリンタが例示される。
【００３０】
制御装置にインストールされるコンピュータプログラムは、制御装置に複数の機能をそれぞれ実現させるための複数のコンピュータプログラムから形成されている。その複数の機能は、検査装置１００と反転装置２００の作動を含んでいる。なお、上述したラインの制御装置の機能等は、必要に応じて、検査装置１００の判断手段６０及び反転装置２００の制御部２４０にも有させることができる。
【００３１】
以上、図面を参照して、本発明の実施例を詳述してきたが、具体的な構成は、この実施例に限らず、本発明の要旨を逸脱しない程度の設計的変更は、本発明に含まれる。
【符号の説明】
【００３２】
１０  物品
１１  第１の側面
１２  第２の側面
２０  検査装置用搬送手段
３０  撮像手段
４０  識別情報取得手段
５０  タッチパネル
６０  判断手段
１００  検査装置
２００  反転装置
２１０  第１の搬送手段
２２０  反転手段
２２１  把持手段
２２２  第２の搬送装置
２３０  操作部
２３１  タッチパネル
２３２  緊急停止ボタン
２３３  ＯＮ／ＯＦＦつまみ
２４０  制御部
２５０  高さ位置調整手段
２２１０  第１の突起部
２２１１  第２の突起部
【図１】
2020046378.tif 000003
【図２】
2020046378.tif 000004
【図３】
2020046378.tif 000005
【図４】
2020046378.tif 000006
【図５】
2020046378.tif 000007
【図６】
2020046378.tif 000008
【図７】
2020046378.tif 000009
【図８】
2020046378.tif 000010
【図９】
2020046378.tif 000011
【図１０】
2020046378.tif 000012
【図１１】
2020046378.tif 000013
【図１２】
2020046378.tif 000014
【図１３】
2020046378.tif 000015
【図１４】
2020046378.tif 000016
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
略円形の第１の側面と、第２の側面とを有する物品の検査装置であって、
物品を搬送する検査装置用搬送手段と、
物品の前記第２の側面の識別情報を取得する、前記搬送手段の搬送面に対向して配置される識別情報取得手段と、
前記搬送手段を挟んで、前記識別情報取得手段と反対側に配置される物品の前記第１の側面を撮像する撮像手段と、
前記撮像手段による撮像画像と、前記識別情報取得手段による前記識別情報とを比較して、両者の情報が一致することを判断する判断手段と、
を備え、
前記搬送手段の搬送部材は、透明度の高い材質からなる、物品の検査装置。
【請求項２】
物品を搬送する第１の搬送手段と、
物品の前記第１の側面と、前記第２の側面とを反転する、反転手段とを備える、物品の反転装置を、さらに備える、請求項１に記載の物品の検査装置。
【請求項３】
前記反転装置は、前記検査装置用搬送手段の搬送方向に対して、前記検査装置の上流と下流の位置にそれぞれ配置される、請求項２に記載の物品の検査装置。
【請求項４】
前記反転手段は、物品を把持することが可能な複数の把持手段と、前記第１の搬送手段の搬送面に対して略垂直方向に延在する第２の搬送手段とを備え、複数の前記把持手段は、前記第２の搬送手段上に間隔を空けて配置される、請求項２又は３に記載の物品の検査装置。
【請求項５】
前記把持手段は、それぞれ前記第２の搬送手段の上流側に１つ以上の第１の突起部を、前記第２の搬送手段の下流側に１つ以上の第２の突起部をそれぞれ備え、上流側と下流側の前記第１と第２の突起部間に、物品を挟むように把持する、請求項４に記載の物品の検査装置。
【請求項６】
前記第１の搬送手段は、略同一平面状にあり、搬送方向に対して垂直方向に分離された複数の搬送部を備え、前記複数の搬送部の間に前記把持手段が配置されるようにされる、請求項４又は５に記載の物品の検査装置。
【請求項７】
前記第１の搬送手段の搬送面に対して、前記第２の搬送手段の垂直方向の位置を調整する、高さ位置調整手段をさらに備える、請求項４〜６のいずれか一項に記載の物品の検査装置。
【請求項８】
前記物品は食品である、請求項１〜７のいずれか一項に記載の物品の検査装置。
【請求項９】
前記食品はおにぎりである、請求項８に記載の物品の検査装置。
【請求項１０】
略円形の第１の側面と、第２の側面とを有する物品の反転手段であって、
物品を搬送する第１の搬送手段と、
物品を反転する、反転手段とを備える、物品反転装置。
【請求項１１】
前記反転手段は、物品を把持することが可能な複数の把持手段と、前記搬送手段の搬送面に対して略垂直方向に延在する第２の搬送手段とを備え、複数の前記把持手段は、前記第２の搬送手段上に間隔を空けて配置される、請求項１０に記載の物品反転装置。
【請求項１２】
前記把持手段は、前記第２の搬送手段の上流側に１つ以上の第１の突起部を、前記第２の搬送手段の下流側に１つ以上の第２の突起部をそれぞれ備え、上流側と下流側の前記第１と第２の突起部間に、物品を挟むように把持する、請求項１１に記載の物品反転装置。
【請求項１３】
前記第１の搬送手段は、略同一平面状にあり、搬送方向に対して垂直方向に分離された複数の搬送部を備え、複数の前記搬送部の間に前記把持手段が配置されるようにされる、請求項１１又は１２に記載の物品反転装置。
【請求項１４】
前記第１の搬送手段の搬送面に対して、前記第２の搬送手段の垂直方向の位置を調整する、高さ位置調整手段をさらに備える、請求項１１〜１３のいずれか一項に記載の物品反転装置。
【請求項１５】
請求項２〜９のいずれ一項の物品の検査装置に使用する、請求項１０〜１４のいずれか一項に記載の物品反転装置。